(57)【要約】【課題】無線通信装置、基地局、無線通信方法、および無線通信システムを提供する。【解決手段】識別情報、および前記無線状況の測定情報を対応付けて記憶する記憶部、および、前記識別情報および前記無線状況の測定情報を対応付けて送信する送信部、有する基地局と、無線通信装置であって、前記基地局から識別情報と対応付けて送信される無線状況の測定に基づく情報を受信する受信部、および、前記受信部により受信された識別情報に前記無線通信装置が対応する場合、前記受信部により受信された前記情報を利用して通信を制御する制御部、を有する無線通信装置と、を備える、無線通信システム。【選択図】図３
2011250092.tif 000002
【特許請求の範囲】
【請求項１】
無線通信装置であって、
基地局から識別情報と対応付けて送信される無線状況の測定に基づく情報を受信する受信部と；
前記受信部により受信された識別情報に前記無線通信装置が対応する場合、前記受信部により受信された前記情報を利用して通信を制御する制御部と；
を備える、無線通信装置。
【請求項２】
前記識別情報は位置情報であり、前記識別情報に対応する無線通信装置は、前記識別情報により特定される範囲内に存在する無線通信装置である、請求項１に記載の無線通信装置。
【請求項３】
前記情報は、前記識別情報により特定される範囲内における無線状況の測定により得られた情報である、請求項２に記載の無線通信装置。
【請求項４】
位置情報を保持する位置情報保持部と；
無線状況を測定する測定部と；
前記測定部により得られた無線状況の測定情報を、前記位置情報保持部により保持された位置情報と対応付けて前記基地局に送信する送信部と；
をさらに備え、
前記制御部は、前記受信部により前記無線通信装置に対応する識別情報が受信されない場合に、前記測定部に無線状況を測定させる、請求項３に記載の無線通信装置。
【請求項５】
識別情報、および前記無線状況の測定情報を対応付けて記憶する記憶部と；
前記識別情報および前記無線状況の測定情報を対応付けて送信する送信部と；
を備える、基地局。
【請求項６】
前記識別情報は位置情報であり、前記識別情報には、前記識別情報により特定される範囲内に存在する無線通信装置が対応する、請求項５に記載の基地局。
【請求項７】
前記記憶部は、前記識別情報および前記無線状況の測定情報に加え、前記無線状況の測定情報の取得時刻情報をさらに対応付けて記憶し、
前記送信部は、前記識別情報および前記無線状況の測定情報を、取得時刻からの経過時間が所定範囲内である場合に送信する、請求項６に記載の基地局。
【請求項８】
前記基地局は、
前記識別情報に対応する少なくとも１の無線通信装置を無線状況の測定および測定情報の報告の依頼先として指定する制御部をさらに備え、
前記記憶部は、前記依頼先として指定された前記無線通信装置から報告される無線状況の測定情報を記憶する、請求項６に記載の基地局。
【請求項９】
前記制御部は、同一内容の無線状況の測定および測定情報の報告の依頼先として２以上の無線通信装置を指定し、前記２以上の無線通信装置から報告される測定情報を平均する、請求項８に記載の基地局。
【請求項１０】
前記制御部は、２以上の無線通信装置を異なる周波数帯の無線状況の測定および測定情報の報告の依頼先として指定し、前記２以上の無線通信装置から報告される各周波数帯の無線状況の測定情報を統合する、請求項８に記載の基地局。
【請求項１１】
前記送信部は、前記制御部により依頼先として指定された無線通信装置に、前記記憶部に記憶されている前記無線状況の測定情報の有効期限情報を送信する、請求項８に記載の基地局。
【請求項１２】
前記基地局は、前記無線状況の測定情報に基づき、前記複数の無線通信装置が基地局または周波数を変更すべきか否か、いずれの基地局または周波数に変更すべきかを判断する制御部をさらに備え、
前記送信部は、前記複数の無線通信装置が基地局または周波数を変更すべきと前記制御部により判断された場合、前記制御部により変更先として判断された基地局または周波数を前記無線状況の測定情報として前記識別情報と対応付けて送信する、請求項５に記載の基地局。
【請求項１３】
前記送信部は、前記識別情報および前記無線状況の測定情報をＢＣＣＨによりブロードキャストする、請求項５に記載の基地局。
【請求項１４】
前記送信部は、前記識別情報および前記無線状況の測定情報を間欠的に専用チャネルを用いて送信する、請求項５に記載の基地局。
【請求項１５】
基地局から識別情報と対応付けて送信される無線状況の測定に基づく情報を無線通信装置が受信するステップと；
受信された前記識別情報に前記無線通信装置が対応する場合、受信された前記情報を利用して通信を制御するステップと；
を含む、無線通信方法。
【請求項１６】
識別情報、および無線状況の測定情報を対応付けて記憶するステップと；
前記識別情報および前記無線状況の測定情報を対応付けて送信するステップと；
を含む、無線通信方法。
【請求項１７】
識別情報、および前記無線状況の測定情報を対応付けて記憶する記憶部、および、
前記識別情報および前記無線状況の測定情報を対応付けて送信する送信部、
を有する基地局と；
無線通信装置であって、
前記基地局から識別情報と対応付けて送信される無線状況の測定に基づく情報を受信する受信部、および、
前記受信部により受信された識別情報に前記無線通信装置が対応する場合、前記受信部により受信された前記情報を利用して通信を制御する制御部、
を有する無線通信装置と；
を備える、無線通信システム。
【発明の詳細な説明】
【技術分野】
【０００１】
本発明は、無線通信装置、基地局、無線通信方法、および無線通信システムに関する。
【背景技術】
【０００２】
現在、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）において４Ｇの無線通信システムの規格化が進められている。４Ｇによれば、リレーやキャリアアグリゲーションなどの技術を用いることにより、最大通信速度の向上やセルエッジでの品質向上を実現することができる。また、ＨｅＮｏｄｅＢ（Ｈｏｍｅ  ｅＮｏｄｅＢ、フェムトセル基地局、携帯電話用小型基地局）やＲＨＨ（リモートラジオヘッド）など、ｅＮｏｄｅＢ（マクロセル基地局）以外の基地局の導入によりカバレッジを向上させることも検討されている。
【０００３】
このような無線通信システムにおいては、ユーザ端末が、無線通信の品質を評価するために、基地局から送信される無線信号に含まれるリファレンス信号をメジャメントする。より詳細には、ユーザ端末は、フェージングの影響を抑制するために、数回に分けて測定し、得られた値の平均を取ることによりメジャメント情報を取得する。そして、ユーザ端末は、必要に応じてメジャメント情報を基地局に報告する。なお、メジャメントに関する技術は例えば特許文献１に開示されている。
【０００４】
一方、３ＧＰＰでは、ＭＴＣ（Ｍａｃｈｉｎｅ  Ｔｙｐｅ  Ｃｏｍｍｕｎｉｃａｔｉｏｎｓ）に関する議論も進められている。ＭＴＣのアプリケーションとしては、水道系や電力系の情報を収集するＭｅｔｅｒｉｎｇ、ヘルスケア用途の機器情報を収集するＨｅａｌｔｈなど、多様なアプリケーションが検討されている。ＭＴＣ端末は、これらのアプリケーションに特化した端末である。
【０００５】
なお、ＭＴＣ端末は、例えば、Ｌｏｗ  Ｍｏｂｉｌｉｔｙ、Ｔｉｍｅ  Ｃｏｎｔｒｏｌｌｅｄ、Ｏｎｌｉｎｅ  Ｓｍａｌｌ  Ｄａｔａ  Ｔｒａｎｓｍｉｓｓｉｏｎ、およびＴｉｍｅ  Ｔｏｌｅｒａｎｔなどの特性を有する。すなわち、ＭＴＣ端末は、移動が少なく、低頻度で基地局に接続して少量のデータ通信を行い、再びアイドルモードに戻る。また、データ通信にはある程度の遅延が許容される。また、ＭＴＣ端末は、超低消費電力が求められる。
【先行技術文献】
【特許文献】
【０００６】
【特許文献１】特開２０１０−６２７８３号公報
【発明の概要】
【発明が解決しようとする課題】
【０００７】
しかし、メジャメント情報を得るための測定は上述したように複数回繰り返して行われるので、全てのＭＴＣ端末の各々がメジャメントを行うと、超低消費電力を達成することが困難になってしまうという問題がある。
【０００８】
そこで、本発明は、上記問題に鑑みてなされたものであり、本発明の目的とするところは、ＭＴＣ端末などの無線通信装置の低消費電力化を図ることが可能な、新規かつ改良された無線通信装置、基地局、無線通信方法、および無線通信システムを提供することにある。
【課題を解決するための手段】
【０００９】
上記課題を解決するために、本発明のある観点によれば、無線通信装置であって、基地局から識別情報と対応付けて送信される無線状況の測定に基づく情報を受信する受信部と、前記受信部により受信された識別情報に前記無線通信装置が対応する場合、前記受信部により受信された前記情報を利用して通信を制御する制御部と、を備える無線通信装置が提供される。
【００１０】
前記識別情報は位置情報であり、前記識別情報に対応する無線通信装置は、前記識別情報により特定される範囲内に存在する無線通信装置であってもよい。
【００１１】
前記情報は、前記識別情報により特定される範囲内における無線状況の測定により得られた情報であってもよい。
【００１２】
前記無線通信装置は、位置情報を保持する位置情報保持部と、無線状況を測定する測定部と、前記測定部により得られた無線状況の測定情報を、前記位置情報保持部により保持された位置情報と対応付けて前記基地局に送信する送信部とをさらに備え、前記制御部は、前記受信部により前記無線通信装置に対応する識別情報が受信されない場合に、前記測定部に無線状況を測定させてもよい。
【００１３】
また、上記課題を解決するために、本発明の別の観点によれば、識別情報、および前記無線状況の測定情報を対応付けて記憶する記憶部と、前記識別情報および前記無線状況の測定情報を対応付けて送信する送信部と、を備える基地局が提供される。
【００１４】
前記識別情報は位置情報であり、前記識別情報には、前記識別情報により特定される範囲内に存在する無線通信装置が対応してもよい。
【００１５】
前記記憶部は、前記識別情報および前記無線状況の測定情報に加え、前記無線状況の測定情報の取得時刻情報をさらに対応付けて記憶し、前記送信部は、前記識別情報および前記無線状況の測定情報を、取得時刻からの経過時間が所定範囲内である場合に送信してもよい。
【００１６】
前記基地局は、前記識別情報に対応する少なくとも１の無線通信装置を無線状況の測定および測定情報の報告の依頼先として指定する制御部をさらに備え、前記記憶部は、前記依頼先として指定された前記無線通信装置から報告される無線状況の測定情報を記憶してもよい。
【００１７】
前記制御部は、同一内容の無線状況の測定および測定情報の報告の依頼先として２以上の無線通信装置を指定し、前記２以上の無線通信装置から報告される測定情報を平均してもよい。
【００１８】
前記制御部は、２以上の無線通信装置を異なる周波数帯の無線状況の測定および測定情報の報告の依頼先として指定し、前記２以上の無線通信装置から報告される各周波数帯の無線状況の測定情報を統合してもよい。
【００１９】
前記送信部は、前記制御部により依頼先として指定された無線通信装置に、前記記憶部に記憶されている前記無線状況の測定情報の有効期限情報を送信してもよい。
【００２０】
前記基地局は、前記無線状況の測定情報に基づき、前記複数の無線通信装置が基地局または周波数を変更すべきか否か、いずれの基地局または周波数に変更すべきかを判断する制御部をさらに備え、前記送信部は、前記複数の無線通信装置が基地局または周波数を変更すべきと前記制御部により判断された場合、前記制御部により変更先として判断された基地局または周波数を前記無線状況の測定情報として前記識別情報と対応付けて送信してもよい。
【００２１】
前記送信部は、前記識別情報および前記無線状況の測定情報をＢＣＣＨによりブロードキャストしてもよい。
【００２２】
前記送信部は、前記識別情報および前記無線状況の測定情報を間欠的に専用チャネルを用いて送信してもよい。
【００２３】
また、上記課題を解決するために、本発明の別の観点によれば、基地局から識別情報と対応付けて送信される無線状況の測定に基づく情報を無線通信装置が受信するステップと、受信された前記識別情報に前記無線通信装置が対応する場合、受信された前記情報を利用して通信を制御するステップと、を含む無線通信方法が提供される。
【００２４】
また、上記課題を解決するために、本発明の別の観点によれば、識別情報、および無線状況の測定情報を対応付けて記憶するステップと、前記識別情報および前記無線状況の測定情報を対応付けて送信するステップと、を含む無線通信方法が提供される。
【００２５】
また、上記課題を解決するために、本発明の別の観点によれば、識別情報、および前記無線状況の測定情報を対応付けて記憶する記憶部、および、前記識別情報および前記無線状況の測定情報を対応付けて送信する送信部、を有する基地局と、無線通信装置であって、前記基地局から識別情報と対応付けて送信される無線状況の測定に基づく情報を受信する受信部、および、前記受信部により受信された識別情報に前記無線通信装置が対応する場合、前記受信部により受信された前記情報を利用して通信を制御する制御部、を有する無線通信装置と、を備える無線通信システムが提供される。
【発明の効果】
【００２６】
以上説明したように本発明によれば、ＭＴＣ端末などの無線通信装置の低消費電力化を図ることができる。
【図面の簡単な説明】
【００２７】
【図１】無線通信システムの構成例を示した説明図である。
【図２】本発明の実施形態によるＭＴＣ端末の構成を示した機能ブロック図である。
【図３】本発明の実施形態によるｅＮｏｄｅＢの構成を示した説明図である。
【図４】メモリに記憶される情報の具体例を示した説明図である。
【図５】複数のＭＴＣ端末がメジャメント情報を共有する様子を示した説明図である。
【図６】本発明の実施形態によるｅＮｏｄｅＢの動作を示したフローチャートである。
【図７】本発明の実施形態によるＭＴＣ端末の動作を示したフローチャートである。
【図８】ｅＮｏｄｅＢがメジャメントの実行およびメジャメント情報の報告の依頼先を指定する具体例を示した説明図である。
【図９】メジャメント対象を複数のＭＴＣ端末に分散させる具体例を示した説明図である。
【図１０】各ＭＴＣ端末におけるメジャメント回数を減少させる具体例を示した説明図である。
【図１１】メジャメント情報送信用のメジャメントチャネルの構成例を示した説明図である。
【図１２】ｅＮｏｄｅＢが送信する情報の変形例を示した説明図である。
【発明を実施するための形態】
【００２８】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２９】
また、本明細書及び図面において、実質的に同一の機能構成を有する複数の構成要素を、同一の符号の後に異なるアルファベットを付して区別する場合もある。例えば、実質的に同一の機能構成を有する複数の構成を、必要に応じてＭＴＣ端末２０Ａ、２０Ｂおよび２０Ｃのように区別する。ただし、実質的に同一の機能構成を有する複数の構成要素の各々を特に区別する必要がない場合、同一符号のみを付する。例えば、ＭＴＣ端末２０Ａ、２０Ｂおよび２０Ｃを特に区別する必要が無い場合には、単にＭＴＣ端末２０と称する。
【００３０】
また、以下に示す項目順序に従って当該「発明を実施するための形態」を説明する。
１．無線通信システムの概略
１−１．無線通信システムの構成
１−２．メジャメント
１−３．ＭＴＣ端末
２．ＭＴＣ端末およびｅＮｏｄｅＢの構成
３．ＭＴＣ端末およびｅＮｏｄｅＢの動作
４．変形例
４−１．メジャメントを行うＭＴＣ端末の指定
４−２．ｅＮｏｄｅＢからのメジャメント情報の送信方法
４−３．ｅＮｏｄｅＢからの送信情報の変形例
５．まとめ
【００３１】
＜１．無線通信システムの概略＞
現在、３ＧＰＰにおいて４Ｇの無線通信システムの規格化が進められている。本発明の実施形態は、一例としてこの４Ｇの無線通信システムに適用することができるので、まず、４Ｇの無線通信システムの概略を説明する。
【００３２】
［１−１．無線通信システムの構成］
図１は、無線通信システム１の構成例を示した説明図である。図１に示したように、無線通信システム１は、ｅＮｏｄｅＢ１０と、ＭＭＥ（Ｍｏｂｉｌｉｔｙ  Ｍａｎａｇｅｍｅｎｔ  Ｅｎｔｉｔｙ）１２、Ｓ−ＧＷ（Ｓｅｒｖｉｎｇ  Ｇａｔｅｗａｙ）１４、およびＰＤＮ（Ｐａｃｋｅｔ  Ｄａｔａ  Ｎｅｔｗｏｒｋ）−ＧＷ１６を含むコアネットワークと、ＭＴＣ端末２０と、ＭＴＣサーバ３０と、を備える。
【００３３】
ｅＮｏｄｅＢ１０は、ＭＴＣ端末２０と通信する無線基地局である。図１においては１台のｅＮｏｄｅＢ１０のみを示しているが、実際には多数のｅＮｏｄｅＢがコアネットワークに接続される。また、図１においては記載を省略しているが、ｅＮｏｄｅＢ１０は、ＭＴＣ端末２０以外の無線通信装置、例えばユーザ端末（ＵＥ：Ｕｓｅｒ  Ｅｑｕｉｐｍｅｎｔ）とも通信する。本明細書では、無線通信装置の一例としてＭＴＣ端末２０に重きをおいて説明するが、本発明はユーザ端末にも適用可能である。
【００３４】
また、図１においては、基地局の一例としてｅＮｏｄｅＢ１０を示しているが、本発明は他の基地局にも適用可能である。例えば、ユーザ端末（ＭＴＣ端末２０）およびｅＮｏｄｅＢ１０間の通信を中継するリレーノード、および家庭用小型基地局であるＨｏｍｅ  ｅＮｏｄｅＢなどの基地局にも本発明を適用可能である。
【００３５】
ＭＭＥ１２は、データ通信用のセッションの設定、開放やハンドオーバーの制御を行う装置である。このＭＭＥ１２は、ｅＮｏｄｅＢ１０とＸ２と呼ばれるインタフェースを介して接続される。
【００３６】
Ｓ−ＧＷ１４は、ユーザデータのルーティング、転送などを行う装置である。ＰＤＮ−ＧＷ１６は、ＩＰサービスネットワークとの接続点として機能し、ＩＰサービスネットワークとの間でユーザデータを転送する。
【００３７】
ＭＴＣ端末２０は、３ＧＰＰにおいて検討されているＭＴＣ用のアプリケーションに特化した端末であり、ｅＮｏｄｅＢ１０とアプリケーションに応じた無線通信を行う。また、ＭＴＣ端末２０は、コアネットワークを介してＭＴＣサーバ３０と双方向通信を行う。ユーザは、ＭＴＣサーバ３０にアクセスすることにより所定のアプリケーションを実行する。ユーザは、基本的にはＭＴＣ端末２０に直接アクセスすることはない。このようなＭＴＣ端末２０については「１−３．ＭＴＣ端末」において詳細に説明する。
【００３８】
［１−２．メジャメント］
ここで、本発明の実施形態と関連性の高い４Ｇのメジャメントについて説明する。メジャメントは、無線通信の品質を評価するためにユーザ端末で行なわれる動作である。ユーザ端末は、ｅＮｏｄｅＢから送られてくる信号に含まれているリファレンス信号等を用いて受信品質を測定する。また、ユーザ端末は、フェージングなど影響を抑制するために、数回に分けてリファレンス信号を測定し、各測定により得られた値の平均をとることによりメジャメント情報を取得する。
【００３９】
（メジャメントの対象および方法）
より詳細には、ユーザ端末は、ｅＮｏｄｅＢとの同期が取れた状態で、ＲＳＲＰ（Ｒｅｆｅｒｅｎｃｅ  Ｓｉｇｎａｌ  Ｒｅｃｅｉｖｅ  Ｐｏｗｅｒ）やＲＳＳＩ（Ｒｅｃｅｉｖｅｄ  Ｓｉｇｎａｌ  Ｓｔｒｅｎｇｔｈ  Ｉｎｄｉｃａｔｏｒ）を測定する。ＲＳＲＰは、ｅＮｏｄｅＢが送信するリファレンス信号の受信パワーであり、ＲＳＳＩは、干渉源となるセルからの干渉を含んだ形で測定される受信パワーである。
【００４０】
そして、ユーザ端末は、ＲＳＲＰおよびＲＳＳＩに基づいてＲＳＲＱ（Ｒｆｅｒｅｎｃｅ  Ｓｉｇｎａｌ  Ｒｅｃｅｉｖｅｄ  Ｑｕａｌｉｔｙ）を求める。例えば、ユーザ端末は、ＲＳＲＰ／ＲＳＳＩという数式によりＲＳＲＰを求めてもよい。ユーザ端末は、このＲＳＲＰに基づいてセルの再選択やハンドオーバーを決定する。
【００４１】
ここで、最終的なメジャメント情報は、複数回にわたって繰り返しＲＳＲＰを測定し、各測定により得られたＲＳＲＰを平均することにより算出される。したがって、メジャメントには、相応の時間がかかり、ユーザ端末にとってはメジャメントに費やす電力が大きい。このため、ユーザ端末における電力消費を低減するために、無駄なメジャメントを抑制したいという要求がある。
【００４２】
なお、ユーザ端末は、メジャメント情報を周期的に、または、Ｓｅｒｖｉｎｇ  ｅＮｏｄｅＢと新しいｅＮｏｄｅＢの品質の関係であるトリガー条件を満たした時にｅＮｏｄｅＢに報告する。また、ユーザ端末は、ｉｄｅｌ時のメジャメント情報は、報告を行なわないで、端末の動作に反映させる。
【００４３】
（メジャメントが行われるケース）
ユーザ端末におけるメジャメントは以下の場合に行われる。
・ユーザ端末の電源投入後、どのｅＮｏｄｅＢに接続するかを決定したい場合（イニシャルアクセス）。
・接続中のｅＮｏｄｅＢの品質を監視する場合（セルサーチの開始判断のため）。
・接続中のｅＮｏｄｅＢの品質が低下した場合に、別の周波数や隣接セルのｅＮｏｄｅＢの品質を得たい場合（ハンドオーバの判断のため）。
・Ｉｄｌｅモード中に、ｐａｇｉｎｇを受信しているｅＮｏｄｅＢの品質を監視する場合。Ｉｄｅｌモード中は、ｐａｇｉｎｇチャネルを一定周期毎に受信している。ｐａｇｉｎｇチャネルは、トラッキングエリア内の複数のｅＮｏｄｅＢから同じ信号が送られているが、ユーザ端末が受信するのは、その中の一つのｅＮｏｄｅＢからである（ｉｄｌｅ中のセルサーチの開始判断のため）
・Ｉｄｌｅモード中に、ｐａｇｉｎｇを受信しているｅＮｏｄｅＢの品質が低下した場合に、新たにｐａｇｉｎｇチャネルを受信するためのｅＮｏｄｅＢの候補を探す場合（ｐａｇｉｎｇ受信用ｅＮｏｄｅＢの切り替えのため）
【００４４】
（メジャメントのまとめ）
上述してきたメジャメントの要点を以下にまとめる。
・メジャメントが行われるケースは複数種類存在する。
・メジャメントはユーザ端末が行なう。
・メジャメント情報は、ｅＮｏｄｅＢに報告する場合と報告しない場合がある。ｅＮｏｄｅＢに報告する場合は、周期的に報告する場合と、あるトリガー条件で報告する場合がある。
・メジャメントは、平均値をとるために複数回行われるので、ユーザ端末の電力を消費する。
【００４５】
［１−３．ＭＴＣ端末］
ＭＴＣ端末２０は、上述したように、３ＧＰＰにおいて検討されているＭＴＣ用のアプリケーションに特化した端末である。以下に、ＭＴＣ用のアプリケーションの一例を示す。
【００４６】
１．Ｓｅｃｕｒｉｔｙ
２．Ｔｒｃｋｉｎｇ＆Ｔｒａｃｉｎｇ
３．Ｐａｙｍｅｎｔ
４．Ｈｅａｌｔｈ
５．Ｒｅｍｏｔｅ  Ｍａｉｎｔｅｎａｃｅ／Ｃｏｎｔｒｏｌ
６．Ｍｅｔｅｒｉｎｇ
７．Ｃｏｎｓｕｍｅｒ  Ｄｅｖｉｃｅｓ
【００４７】
一例として、ＭＴＣ端末２０は上記「４．Ｈｅａｌｔｈ」に該当する心電図測定器であってもよい。この場合、ユーザがＭＴＣサーバ３０に心電図の測定結果の報告を要求するコマンドを入力すると、ＭＴＣサーバ３０がＭＴＣ端末２０に心電図の測定結果の報告を要求し、ＭＴＣ端末２０から心電図の測定結果がＭＴＣサーバ３０に報告される。
【００４８】
他の例として、ＭＴＣ端末２０は上記「３．Ｐａｙｍｅｎｔ」に該当する自動販売機であってもよい。この場合、ユーザがＭＴＣサーバ３０に販売状況の報告を要求するコマンドを入力すると、ＭＴＣサーバ３０がＭＴＣ端末２０に販売状況の報告を要求し、ＭＴＣ端末２０から販売状況がＭＴＣサーバ３０に報告される。
【００４９】
このようなＭＴＣ端末２０の特徴を以下に示す。なお、ＭＴＣ端末２０は以下の全ての特徴を有する必要はない。
【００５０】
１．Ｌｏｗ  Ｍｏｂｉｌｉｔｙ
２．Ｔｉｍｅ  Ｃｏｎｔｒｏｌｌｅｄ
３．Ｔｉｍｅ  Ｔｏｌｅｒａｎｔ
４．Ｐａｃｋｅｔ  Ｓｗｉｔｃｈｅｄ  Ｏｎｌｙ
５．Ｏｎｌｉｎｅ  Ｓｍａｌｌ  Ｄａｔａ  Ｔｒａｎｓｍｉｓｓｉｏｎｓ
６．Ｏｆｆｌｉｎｅ  Ｓｍａｌｌ  Ｄａｔａ  Ｔｒａｎｓｍｉｓｓｉｏｎ
７．Ｍｏｂｉｌｅ  Ｏｒｉｇｉｎａｔｅｄ  Ｏｎｌｙ
８．Ｉｎｆｒｅｑｕｅｎｔ  Ｍｏｂｉｌｅ  Ｔｅｒｍｉｎａｔｅｄ
９．ＭＴＣ  Ｍｏｎｉｔｏｒｉｎｇ
１０．Ｏｆｆｌｉｎｅ  Ｉｎｄｉｃａｔｉｏｎ
１１．Ｊａｍｍｉｎｇ  Ｉｎｄｉｃａｔｉｏｎ
１２．Ｐｒｉｏｒｉｔｙ  Ａｌａｒｍ  Ｍｅｓｓａｇｅ
１３．Ｅｘｔｒａ  Ｌｏｗ  Ｐｏｗｅｒ  Ｃｏｎｓｕｍｐｔｉｏｎ
１４．Ｓｅｃｕｒｅ  Ｃｏｎｎｅｃｔｉｏｎ
１５．Ｌｏｃａｔｉｏｎ  Ｓｐｅｃｉｆｉｃ  Ｔｒｉｇｅｒ
１６．Ｇｒｏｕｐ  ｂａｓｅｄ  ＭＴＣ  Ｆｅａｔｕｒｅｓ
【００５１】
以上をまとめると、ＭＴＣ端末２０は、移動が少なく、低頻度でｅＮｏｄｅＢに接続して少量のデータ通信を行い、再びアイドルモードに戻る。また、データ通信にはある程度の遅延が許容される。また、ＭＴＣ端末２０は、超低消費電力（１３．Ｅｘｔｒａ  Ｌｏｗ  Ｐｏｗｅｒ  Ｃｏｎｓｕｍｐｔｉｏｎ）が求められる。
【００５２】
ここで、将来的に存在するＭＴＣ端末２０の数を予想する。現在、６０億人を超える世界人口のうち、約２７億人がセルラーを使用している。一方、世界に５００兆程度の機械が存在する状況で、０．５億程度の機械がＭＴＣ端末２０としてセルラーを使用している。
【００５３】
すなわち、現時点ではＭＴＣ端末２０は普及していないが、将来的には１００兆オーダーのＭＴＣ端末２０を世界のセルラーで収容する可能性がある。その結果、各ｅＮｏｄｅＢ１０に膨大な数のＭＴＣ端末２０が収容されることになると予想される。
【００５４】
（本発明の実施形態に至る経緯）
以上、「１−３．ＭＴＣ端末」において説明したように、ＭＴＣ端末２０には超低消費電力が求められる。しかし、「１−２．メジャメント」において説明したユーザ端末によるメジャメントをＭＴＣ端末２０にそのまま適用すると、超低消費電力を達成することが困難になってしまうという問題がある。
【００５５】
また、「１−３．ＭＴＣ端末」において説明したように、将来的には各ｅＮｏｄｅＢ１０に膨大な数のＭＴＣ端末２０が収容されることが予想される。このため、ｅＮｏｄｅＢとＭＴＣ端末２０間のシグナリングを少なくすることが望まれる。
【００５６】
また、同一の場所であっても、他の移動物体やｅＮｏｄｅＢによる干渉抑制制御などの外的要因によりメジャメント結果は変動するので、メジャメント情報の更新が必要である。
【００５７】
そこで、上記事情を一着眼点にして本発明の実施形態を創作するに至った。本発明の実施形態によれば、ＭＴＣ端末２０の消費電力の低減、ＭＴＣ端末２０とｅＮｏｄｅＢ１０間のシグナリングの抑制、およびＭＴＣ端末２０のメジャメント情報の更新を実現することができる。以下、このような本発明の実施形態によるｅＮｏｄｅＢ１０およびＭＴＣ端末２０について詳細に説明する。
【００５８】
＜２．ＭＴＣ端末およびｅＮｏｄｅＢの構成＞
（ＭＴＣ端末の構成）
図２は、本発明の実施形態によるＭＴＣ端末２０の構成を示した機能ブロック図である。図２に示したように、ＭＴＣ端末２０は、無線通信部２１０と、位置情報保持部２２０と、メジャメント情報監視部２３０と、制御部２４０と、を備える。
【００５９】
無線通信部２１０は、ｅＮｏｄｅＢ１０から制御信号、データ、およびメジャメント情報などを受信する受信部、ｅＮｏｄｅＢ１０へ制御信号、データ、およびメジャメント情報などを送信する送信部としての機能を有する。具体的には、無線通信部２１０は、変復調や信号のマッピング、デマッピング、インタリーブなどの無線信号処理とアンテナ信号処理を行う。なお、無線通信部２１０は、無線状況を測定する測定部としての機能も有する。
【００６０】
位置情報保持部２２０は、ＭＴＣ端末２０の現在位置を示す位置情報を保持する。ＭＴＣ端末２０は、ＧＰＳを利用して位置情報を取得してもよいし、ｅＮｏｄｅＢ１０における推定により得られた位置情報を取得してもよい。
【００６１】
メジャメント情報監視部２３０は、無線通信部２１０によりｅＮｏｄｅＢ１０から受信される信号を監視し、ＭＴＣ端末２０に対応するメジャメント情報がｅＮｏｄｅＢ１０から受信される信号から抽出する。
【００６２】
具体的には、本発明の実施形態によるｅＮｏｄｅＢ１０は、メジャメント情報を位置情報と対応付けてブロードキャストする。このため、メジャメント情報監視部２３０は、ＭＴＣ端末２０の現在位置がｅＮｏｄｅＢ１０から送信される位置情報により特定される範囲内である場合、当該位置情報と対応付けられて送信されたメジャメント情報を抽出する。
【００６３】
なお、ｅＮｏｄｅＢ１０から送信される位置情報はある地点を示す緯度経度情報であり、当該位置情報により特定される範囲は、位置情報の示す地点から所定距離以内である範囲であってもよい。または、ｅＮｏｄｅＢ１０から送信される位置情報はある範囲を示す情報であり、当該位置情報によって特定される範囲は、位置情報の示す範囲であってもよい。ここで、位置情報によって特定される範囲には複数のＭＴＣ端末２０が存在することが想定されるので、ｅＮｏｄｅＢ１０から送信される位置情報には複数のＭＴＣ端末２０が対応する。
【００６４】
このように、本発明の実施形態においては、位置情報は特定のＭＴＣ端末２０を識別するための識別情報として用いられるが、識別情報は位置情報に限定されない。例えば、複数のＭＴＣ端末２０をグループ化して各グループにグループＩＤを付した場合、グループＩＤを識別情報として用いることも可能である。この場合、ＭＴＣ端末２０のメジャメント情報監視部２３０は、ｅＮｏｄｅＢ１０からメジャメント情報と対応付けて送信されるグループＩＤが、ＭＴＣ端末２０が属するグループのグループＩＤであるか否かに基づいてメジャメント情報を抽出する。
【００６５】
制御部２４０は、ＭＴＣ端末２０の動作全般を制御する。例えば、制御部２４０は、メジャメントを行うか否かの判断、一連のメジャメントに関する処理、およびメジャメント情報に基づく通信制御などを行う。制御部２４０は、メジャメント情報監視部２３０によりＭＴＣ端末２０に対応するメジャメント情報が抽出された場合、このメジャメント情報を利用することで、メジャメントの実行を回避する。また、制御部２４０は、メジャメントを行った場合、位置情報保持部２２０に保持されている位置情報と共にメジャメント情報をｅＮｏｄｅＢ１０に送信する。
【００６６】
なお、制御部２４０は、「１−２．メジャメント」において説明したユーザ端末によるメジャメント方法の一部を援用してもよい。例えば、制御部２４０は、ＲＳＲＰおよびＲＳＳＩを測定し、ＲＳＲＰおよびＲＳＳＩからＲＳＲＰを求めてもよい。
【００６７】
（ｅＮｏｄｅＢの構成）
図３は、本発明の実施形態によるｅＮｏｄｅＢ１０の構成を示した説明図である。図３に示したように、ｅＮｏｄｅＢ１０は、無線通信部１１０と、メモリ１２０と、時間管理部１３０と、メジャメント情報管理部１４０と、を備える。
【００６８】
無線通信部１１０は、ＭＴＣ端末２０から制御信号、データ、およびメジャメント情報などを受信する受信部、ＭＴＣ端末２０へ制御信号、データ、およびメジャメント情報などを送信する送信部としての機能を有する。具体的には、無線通信部１１０は、変復調や信号のマッピング、デマッピング、インタリーブなどの無線信号処理とアンテナ信号処理を行う。
【００６９】
メモリ１２０は、位置情報、メジャメント情報、およびメジャメント情報の取得時刻情報を対応付けて記憶する記憶部である。例えば、メモリ１２０は、あるＭＴＣ端末２０から受信された、当該ＭＴＣ端末２０の位置情報および当該ＭＴＣ端末２０によって測定されたメジャメント情報を対応付けて保持する。ただし、メモリ１２０に保持されるメジャメント情報は、ＭＴＣ端末２０以外の無線通信装置における測定によって得られたメジャメント情報であってもよい。以下、図４を参照し、メモリ１２０に記憶される情報の具体例を説明する。
【００７０】
図４は、メモリ１２０に記憶される情報の具体例を示した説明図である。図４に示したように、位置情報（Ｐｏｓｉｔｉｏｎ  Ｎ）と取得時刻情報（Ｔｉｍｅ  Ｍ）に対応付けて記憶されるメジャメント情報は、メジャメントを行ったＭＴＣ端末２０が接続中のＳｅｒｖｉｎｇ  ｅＮｏｄｅＢの情報だけでなく、他のｅＮｏｄｅＢの情報を含む。
【００７１】
例えば、位置情報Ｐｏｓｉｔｉｏｎ０と対応付けられているメジャメント情報は、Ｓｅｒｖｉｎｇ  ｅＮｏｄｅＢに関するメジャメント情報０、他のｅＮｏｄｅＢや周波数に関すメジャメント情報１および２を含む。なお、取得時刻情報（Ｔｉｍｅ  Ｍ）の示す取得時刻は、ｅＮｏｄｅＢ１０がＭＴＣ端末２０からメジャメント情報を受信した時刻、メジャメント情報をメモリ１２０が記憶し時刻、またはＭＴＣ端末２０がメジャメント情報を取得した時刻であってもよい。
【００７２】
時間管理部１３０は、現在時刻や、メモリ１２０に記憶されている各取得時刻情報の示す時刻からの経過時間などを管理する。
【００７３】
メジャメント情報管理部１４０（制御部）は、メモリ１２０に保持されているメジャメント情報の送信を管理する。例えば、メジャメント情報管理部１４０は、メモリ１２０に保持されているメジャメント情報および位置情報がＢＣＣＨ（ブロードキャストチャネル）により送信されるよう制御する。
【００７４】
かかる構成により、現在位置に対応するメジャメント情報を受信したＭＴＣ端末２０は、このメジャメント情報を利用することで、メジャメントの実行を回避することができる。その結果、ＭＴＣ端末２０の低消費電力化を図ることができる。また、このＭＴＣ端末２０がメジャメント情報をｅＮｏｄｅＢ１０に送信しなくなるので、ＭＴＣ端末２０からｅＮｏｄｅＢ１０へのメジャメント情報に関するシグナリングを抑制することが可能である。
【００７５】
例えば、図５に示したように、ＭＴＣ端末２０Ａがメジャメントを行ってメジャメント情報をｅＮｏｄｅＢ１０に報告すると（ステップ１）、ｅＮｏｄｅＢ１０が、このメジャメント情報をブロードキャストする（ステップ２）。このため、ＭＴＣ端末２０Ａの近傍に存在するＭＴＣ端末２０Ｂおよび２０Ｃは、ブロードキャストされるメジャメント情報を利用することにより、すなわち、ＭＴＣ端末２０Ａとメジャメント情報を共有することにより、メジャメントの実行を回避することができる。その結果、ＭＴＣ端末２０Ｂおよび２０Ｃの消費電力を低減することができる。また、ＭＴＣ端末２０Ｂおよび２０ＣがｅＮｏｄｅＢ１０にメジャメント情報を送信しなくなるので、ＭＴＣ端末２０からｅＮｏｄｅＢ１０へのメジャメント情報に関するシグナリングを抑制することが可能である。
【００７６】
なお、メジャメント情報管理部１４０は、各メジャメント情報に対応付けられている取得時刻情報に基づき、取得時刻からの経過時間が所定範囲外であるメジャメント情報は送信しなくてもよい。または、メジャメント情報管理部１４０は、取得時刻情報がメジャメント情報と共にＢＣＣＨにより送信されるよう制御してもよい。この場合、取得時刻が古いメジャメント情報を抽出したＭＴＣ端末２０は、周囲のＭＴＣ端末を代表してメジャメントを行い、新たなメジャメント情報をｅＮｏｄｅＢ１０に報告する。かかる構成により、このＭＴＣ端末２０の周囲の全てのＭＴＣ端末によりメジャメントが行われてしまうことを防止できる。また、メジャメント情報が有効期限切れになってしまうことを防止することができる。
【００７７】
＜３．ＭＴＣ端末およびｅＮｏｄｅＢの動作＞
以上、本発明の実施形態によるＭＴＣ端末２０およびｅＮｏｄｅＢ１０の構成を説明した。続いて、本発明の実施形態によるＭＴＣ端末２０およびｅＮｏｄｅＢ１０の動作を説明する。
【００７８】
（ｅＮｏｄｅＢの動作）
図６は、本発明の実施形態によるｅＮｏｄｅＢ１０の動作を示したフローチャートである。図６に示したように、ｅＮｏｄｅＢ１０は、メモリ１２０に保持されている位置情報およびメジャメント情報を対応付けてブロードキャストする（Ｓ３１０）。
【００７９】
そして、ｅＮｏｄｅＢ１０は、ＭＴＣ端末２０から位置情報およびメジャメント情報を受信した場合（Ｓ３２０）、メモリ１２０に保持されている情報を、受信した位置情報およびメジャメント情報で更新する（Ｓ３３０）。例えば、ｅＮｏｄｅＢ１０は、受信した位置情報と所定範囲内の位置を示す位置情報をメモリ１２０から検索し、検索した位置情報と対応付けられているメジャメント情報を、受信したメジャメント情報に書き換える。
【００８０】
（ＭＴＣ端末の動作）
図７は、本発明の実施形態によるＭＴＣ端末２０の動作を示したフローチャートである。図７に示したように、まず、ＭＴＣ端末２０は自身の位置情報を取得する（Ｓ４１０）。そして、ＭＴＣ端末２０は、メジャメント情報が必要となった場合（Ｓ４２０）、ｅＮｏｄｅＢ１０からメジャメント情報と共にブロードキャストされる位置情報に、Ｓ４１０において取得した位置情報の示す自身の現在地に近い位置情報が含まれるか否かを判断する（Ｓ４３０）。
【００８１】
なお、メジャメント情報が必要となる場合としては、ＭＴＣ端末２０の電源投入後でどのｅＮｏｄｅＢ１０に接続するかを決定する場合、接続中のｅＮｏｄｅＢ１０の品質を監視する場合、および別の周波数や隣接セルの品質を得る場合などが挙げられる。
【００８２】
Ｓ４３０においてＭＴＣ端末２０に対応する位置情報がブロードキャスト信号に含まれると判断した場合、ＭＴＣ端末２０は、ブロードキャスト信号から上記位置情報と対応付けられているメジャメント情報を取得する（Ｓ４４０）。一方、ＭＴＣ端末２０に対応する位置情報がブロードキャスト信号に含まれていない場合、ＭＴＣ端末２０はメジャメントを実行し（Ｓ４５０）、メジャメント情報および現在位置を示す位置情報をｅＮｏｄｅＢ１０に送信する（Ｓ４６０）。
【００８３】
ＭＴＣ端末２０は、Ｓ４４０またはＳ４６０においてメジャメント情報を取得した後、取得したメジャメント情報を利用して通信を制御する（Ｓ４７０）。例えば、ＭＴＣ端末２０は、取得したメジャメント情報に基づき、現在利用中のｅＮｏｄｅＢ１０または周波数より品質のよりｅＮｏｄｅＢ１０または周波数が存在する場合には、ハンドオーバーまたは周波数変更などを制御する。
【００８４】
以上説明したように、ＭＴＣ端末２０は、ｅＮｏｄｅＢ１０からブロードキャストされるメジャメント情報を利用することにより、メジャメントを行う回数を抑制できるので、低消費電力化を図ることができる。
【００８５】
なお、上記の方法は、近傍に位置する複数のＭＴＣ端末２０が同一のメジャメント情報を共有する方法である。ここで、位置が少しでも異なると実際の無線状況も変化するので、複数のＭＴＣ端末２０が共有するメジャメント情報の精度は完璧にはならないであろう。しかし、ＭＴＣ端末２０は、低速度の通信を低頻度で行うことが想定されている。このため、使用される変調方式は、ＱＰＳＫ等のデータレートの低い変調方式になると考えられる。したがって、精度の低いメジャメント情報を使用しても実運用上の問題は限定的であるといえる。
【００８６】
＜４．変形例＞
以上、本発明の実施形態の基本構成を説明した。続いて、本発明の実施形態の変形例を説明する。
【００８７】
［４−１．メジャメントを行うＭＴＣ端末の指定］
上記では、ＭＴＣ端末２０がメジャメントを行うか否かを判断する例を説明したが、変形例として、メジャメントの実行およびメジャメント情報の報告の依頼先をｅＮｏｄｅＢ１０が指定してもよい。以下、ｅＮｏｄｅＢ１０がメジャメントの実行およびメジャメント情報の報告の依頼先を指定する具体例を説明する。
【００８８】
図８は、ｅＮｏｄｅＢ１０がメジャメントの実行およびメジャメント情報の報告の依頼先を指定する具体例を示した説明図である。図８に示したように、エリアＡ〜エリアＤの各々に複数のＭＴＣ端末２０が含まれる場合、ｅＮｏｄｅＢ１０のメジャメント情報管理部１４０は、各エリア内のＭＴＣ端末２０にメジャメントの実行およびメジャメント情報の報告を依頼する。
【００８９】
例えば、ｅＮｏｄｅＢ１０のメジャメント情報管理部１４０は、図８に示したように、エリアＡに存在する複数のＭＴＣ端末２０のうちでＭＴＣ２０Ｐをメジャメントの実行およびメジャメント情報の報告の依頼先として指定する。かかる構成により、ｅＮｏｄｅＢ１０は、ＭＴＣ２０Ｐからメジャメント情報を報告されるので、このメジャメント情報をブロードキャストすることにより、エリアＡ内の複数のＭＴＣ端末２０にＭＴＣ２０Ｐのメジャメント情報を共有させることができる。
【００９０】
また、ｅＮｏｄｅＢ１０のメジャメント情報管理部１４０は、同一エリア内に存在する複数のＭＴＣ端末２０のうちで、２以上のＭＴＣ端末２０をメジャメントの実行およびメジャメント情報の報告の依頼先として指定してもよい。
【００９１】
例えば、エリアＡ内に１０００台のＭＴＣ端末２０が存在する場合、エリアＡ内の１０台のＭＴＣ端末２０にメジャメントの実行およびメジャメント情報の報告を依頼してもよい。エリア内の１のＭＴＣ端末２０のみにメジャメントの実行およびメジャメント情報の報告を依頼する場合、このＭＴＣ端末２０がメジャメントに失敗すると、エリア内の全てのＭＴＣ端末２０がメジャメント情報を得られなくなってしまう。これに対し、上記のようにエリア内の２以上のＭＴＣ端末２０をメジャメントの実行およびメジャメント情報の報告の依頼先として指定することにより、依頼先のＭＴＣ端末２０がメジャメントに失敗した場合の悪影響を小さくすることができる。
【００９２】
なお、ｅＮｏｄｅＢ１０は、各ＭＴＣ端末２０の位置情報を収集し、ほぼ同じ位置に存在するＭＴＣ端末２０をグループ化することにより、上記のように各エリア内の１または２以上のＭＴＣ端末２０をメジャメントの依頼先として指定することができる。
【００９３】
（メジャメント対象の分散）
また、ｅＮｏｄｅＢ１０は、メジャメントを２以上のＭＴＣ端末２０に依頼する場合、周波数帯などのメジャメント対象を２以上のＭＴＣ端末２０に分散させ、２以上のＭＴＣ端末２０から報告されるメジャメント情報を統合してもよい。以下、具体例を説明する。
【００９４】
図９は、メジャメント対象を複数のＭＴＣ端末２０に分散させる具体例を示した説明図である。図９に示したように、ｅＮｏｄｅＢ１０がエリアＡ内のＭＴＣ端末２０Ｐおよび２０Ｑにメジャメントを依頼する場合、ｅＮｏｄｅＢ１０は、周波数帯ｆ１のメジャメントをＭＴＣ端末２０Ｐに依頼し、周波数帯ｆ２のメジャメントをＭＴＣ端末２０Ｑに依頼してもよい。
【００９５】
この場合、ＭＴＣ端末２０Ｐからは周波数帯ｆ１に関するメジャメント情報が報告され、ＭＴＣ端末２０Ｑからは周波数帯ｆ２に関するメジャメント情報が報告される。このため、ｅＮｏｄｅＢ１０は、ＭＴＣ端末２０Ｐおよび２０Ｑから報告されるメジャメント情報を統合することにより最終的なメジャメント情報を取得する。
【００９６】
かかる構成によれば、メジャメントによる負荷を２以上のＭＴＣ端末２０に分散させることができるので、１のＭＴＣ端末２０における消費電力を低減することが可能である。
【００９７】
（メジャメント情報の平均化）
通常のメジャメント処理は、「１−２．メジャメント」において説明したように、１の端末において複数回にわたってメジャメントを行い、各メジャメントにより得られた値を平均化することによりメジャメント情報を取得するものである。このため、メジャメント処理が完了するまでに、複数回の測定を行うための時間を要する。
【００９８】
そこで、ｅＮｏｄｅＢ１０は、メジャメントを２以上のＭＴＣ端末２０に依頼する場合、各ＭＴＣ端末２０におけるメジャメント回数を減少し、各ＭＴＣ端末２０から報告されるメジャメント情報を平均化することにより最終的なメジャメント情報を取得してもよい。以下、具体例を説明する。
【００９９】
図１０は、各ＭＴＣ端末２０におけるメジャメント回数を減少させる具体例を示した説明図である。図１０の上図に示したように、通常は、１のＭＴＣ端末２０が複数回にわたってメジャメントを行い、各メジャメントにより得られた値を平均して最終的なメジャメント情報を算出する。
【０１００】
これに対し、図１０の下図に変形例として示したように、依頼先として指定された２以上のＭＴＣ端末２０Ｐ〜２０Ｑがメジャメントを行う回数を通常より少なくし、ｅＮｏｄｅＢ１０が、ＭＴＣ端末２０Ｐ〜２０Ｑにより取得された値を平均して最終的なメジャメント情報を算出してもよい。
【０１０１】
かかる構成によれば、依頼先として指定されたＭＴＣ端末２０におけるメジャメント回数が減少するので、ｅＮｏｄｅＢ１０が最終的なメジャメント情報を取得するまでに要する時間を削減することができる。また、各ＭＴＣ端末２０における消費電力を低減することも可能である。
【０１０２】
［４−２．ｅＮｏｄｅＢからのメジャメント情報の送信方法］
上記では、ｅＮｏｄｅＢ１０がメジャメント情報をＢＣＣＨによりブロードキャストする例を説明したが、本発明の実施形態はかかる例に限定されない。例えば、図１１を参照して説明するように、ｅＮｏｄｅＢ１０は専用チャネルを用いてメジャメント情報を送信してもよい。
【０１０３】
図１１は、メジャメント情報送信用のメジャメントチャネルの構成例を示した説明図である。ｅＮｏｄｅＢ１０は、図１１に示したように、メジャメントチャネルをＤＲＸ（Ｄｉｓｃｏｎｔｉｎｕａｓ  Ｒｅｃｅｐｔｉｏｎ）間隔で送信する。
【０１０４】
このメジャメントチャネルは、図１１に示したように、ＰＤＣＣＨとＰＤＳＣＨから構成される。ＰＤＳＣＨはメジャメント情報を含み、ＰＤＣＣＨは、ＰＤＳＣＨに含まれるメジャメント情報に対応する位置情報を含む。
【０１０５】
このため、ＭＴＣ端末２０は、メジャメントチャネルを間欠受信し、ＭＴＣ端末２０に対応する位置情報がＰＤＣＣＨに含まれない場合にのみ、ＰＤＳＣＨからメジャメント情報を抽出することが可能となる。
【０１０６】
［４−３．ｅＮｏｄｅＢからの送信情報の変形例］
上記では、ｅＮｏｄｅＢ１０がメジャメント情報を送信する例を説明したが、本発明の実施形態はかかる例に限定されない。例えば、ｅＮｏｄｅＢ１０は、異なるｅＮｏｄｅＢ１０や周波数に変更すべきＭＴＣ端末２０に対し、メジャメント情報でなく、変更先のｅＮｏｄｅＢ１０や周波数などを送信してもよい。
【０１０７】
具体的には、ｅＮｏｄｅＢ１０のメジャメント情報管理部１４０が、メモリ１２０に記憶されているメジャメント情報に基づき、異なるｅＮｏｄｅＢ１０や周波数に変更すべきＭＴＣ端末２０が存在する位置を判断する。例えば、ｅＮｏｄｅＢ１０のメジャメント情報管理部１４０は、ある位置情報にＳｅｒｖｉｎｇ  ｅＮｏｄｅＢのメジャメント情報より良好なメジャメント情報が対応付けられている場合、当該位置情報、および良好なメジャメント情報を提供するｅＮｏｄｅＢまたは周波数帯を抽出する。
【０１０８】
そして、ｅＮｏｄｅＢ１０の無線通信部１１０は、図１２に示したように、メジャメント情報管理部１４０により抽出された位置情報、およびｅＮｏｄｅＢまたは周波数帯（Ｒｅｃｏｍｍｅｎｄａｔｉｏｎ  ｏｆ  Ｎｅｘｔ  ｅＮｏｄｅＢ  ａｎｄ  Ｆｒｅｑｕｅｎｃｙ）を送信する。この場合、ＭＴＣ端末２０は、ＭＴＣ端末２０に対応する位置情報が対応付けられているｅＮｏｄｅＢまたは周波数帯を示す情報を抽出し、抽出したｅＮｏｄｅＢまたは周波数帯に利用を変更する。かかる構成によれば、ｅＮｏｄｅＢ１０から送信される情報量を抑制することが可能である。
【０１０９】
＜５．まとめ＞
以上説明したように、本発明の実施形態によれば、現在位置に対応するメジャメント情報を受信したＭＴＣ端末２０は、このメジャメント情報を利用することで、メジャメントの実行を回避することができる。その結果、ＭＴＣ端末２０の低消費電力化を図ることができる。また、このＭＴＣ端末２０がメジャメント情報をｅＮｏｄｅＢ１０に送信しなくなるので、ＭＴＣ端末２０からｅＮｏｄｅＢ１０へのメジャメント情報に関するシグナリングを抑制し、通常の通信のスループット低下を避けることが可能である。
【０１１０】
なお、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１１１】
例えば、本明細書のｅＮｏｄｅＢ１０またはＭＴＣ端末２０の処理における各ステップは、必ずしもフローチャートとして記載された順序に沿って時系列に処理する必要はない。例えば、ｅＮｏｄｅＢ１０またはＭＴＣ端末２０の処理における各ステップは、フローチャートとして記載した順序と異なる順序で処理されても、並列的に処理されてもよい。
【０１１２】
また、ｅＮｏｄｅＢ１０またはＭＴＣ端末２０に内蔵されるＣＰＵ、ＲＯＭおよびＲＡＭなどのハードウェアを、上述したｅＮｏｄｅＢ１０またはＭＴＣ端末２０の各構成と同等の機能を発揮させるためのコンピュータプログラムも作成可能である。また、該コンピュータプログラムを記憶させた記憶媒体も提供される。
【符号の説明】
【０１１３】
１０      ｅＮｏｄｅＢ
１２      ＭＭＥ
１４      Ｓ−ＧＷ
１６      ＰＤＮ−ＧＷ
２０      ＭＴＣ端末
３０      ＭＴＣサーバ
１１０、２１０    無線通信部
１２０    メモリ
１３０    時間管理部
１４０    メジャメント情報管理部
２２０    位置情報保持部
２３０    メジャメント情報監視部
２４０    制御部
【図１】
2011250092.tif 000003
【図２】
2011250092.tif 000004
【図３】
2011250092.tif 000005
【図４】
2011250092.tif 000006
【図５】
2011250092.tif 000007
【図６】
2011250092.tif 000008
【図７】
2011250092.tif 000009
【図８】
2011250092.tif 000010
【図９】
2011250092.tif 000011
【図１０】
2011250092.tif 000012
【図１１】
2011250092.tif 000013
【図１２】
2011250092.tif 000014